(57)【特許請求の範囲】
【請求項１】
所定の領域に配置された複数の被充電機器の全てに対して、１つの一次コイルによって非接触で同時に電力を供給可能な電力供給部と、
前記電力供給部を制御する制御部と、を備え、
前記制御部は、
前記被充電機器から取得した予定情報から、前記複数の被充電機器に対する電力供給の優先順位を設定し、
前記優先順位に従って、前記複数の被充電機器のうち特定の被充電機器に対して、充電が完了するまで継続してより多くの電力を割り当てて供給するよう前記電力供給部を制御する、
充電装置。
【請求項２】
前記予定情報は、前記被充電機器が稼働する時間を示す情報である、
ことを特徴とする請求項１に記載の充電装置。
【請求項３】
前記制御部は、
現時点からより近い時間に稼働の開始が予定されている前記被充電機器に対して、高い優先順位を設定する、
ことを特徴とする請求項２に記載の充電装置。
【請求項４】
前記予定情報は、前記被充電機器を所有するユーザのスケジュール情報である、
ことを特徴とする請求項１に記載の充電装置。
【請求項５】
所定の領域に配置された複数の被充電機器の全てに対して、１つの一次コイルによって非接触で同時に電力を供給可能な電力供給部と、
前記電力供給部を制御する制御部と、を備え、
前記制御部は、
前記被充電機器から取得した優先度を示す情報から、前記複数の被充電機器に対する電力供給の優先順位を設定し、
前記優先順位に従って、前記複数の被充電機器のうち特定の被充電機器に対して、充電が完了するまで継続してより多くの電力を割り当てて供給するよう前記電力供給部を制御する、
充電装置。
【請求項６】
複数の被充電機器の全てに対して１つの一次コイルによって非接触で同時に電力を供給可能な所定の領域に、前記被充電機器が配置されている場合、前記被充電機器から取得した予定情報から、前記複数の被充電機器に対する電力供給の優先順位を設定し、
前記優先順位に従って、前記複数の被充電機器のうち特定の被充電機器に対して、充電が完了するまで継続してより多くの電力を割り当てて供給する、
ことを特徴とする充電方法。
【請求項７】
複数の被充電機器の全てに対して１つの一次コイルによって非接触で同時に電力を供給可能な所定の領域に、前記被充電機器が配置されている場合、前記被充電機器から取得した優先度を示す情報から、前記複数の被充電機器に対する電力供給の優先順位を設定し、
前記優先順位に従って、前記複数の被充電機器のうち特定の被充電機器に対して、充電が完了するまで継続してより多くの電力を割り当てて供給する、
ことを特徴とする充電方法。
【発明の詳細な説明】
【技術分野】
【０００１】
本発明は、充電装置、充電システム、充電方法及び充電制御プログラムに関し、特に、複数の被充電機器に対して非接触で同時に充電を行うための充電装置、充電システム、充電方法及び充電制御プログラムに関する。
【背景技術】
【０００２】
近年、磁気共鳴方式などの方式により、複数のデバイスを同時に充電することができる１つの送信コイルを有する充電台に関する技術が知られている。当該充電台は、複数のデバイスへ供給電力が分散させることにより複数デバイスを同時に充電することを実現する。
【０００３】
ここで、当該充電台を用いて複数のデバイスを同時に充電する場合には、供給電力が分散されることにより、それぞれのデバイスの充電時間が１台のみで充電を行う場合よりも長くなることが知られている。そこで、特許文献１乃至３には、複数のデバイスを同時に充電する際に、所定のデバイスを優先的に充電させる技術が開示されている。
【０００４】
特許文献１にかかる充電システムは、例えば、充電対象の複数の電子機器のうち最も電池残量が少ない電子機器に対して優先的に電力を供給する。また、特許文献２にかかる充電装置は、一度に複数の被充電機器を充電する場合において、まず、充電用のステージに載置された被充電機器と無線で通信し、各被充電機器から充電設定情報を取得する。そして、取得した充電設定情報に基づいて、優先充電機器を検出し、検出された優先充電機器を優先して充電する。さらに、特許文献３にかかる充電器は、複数の被充電機器のそれぞれの充電における容量、回数及び残量等を考慮して、電流の配分を決定する。
【０００５】
尚、特許文献４には、非接触で携帯機器の充電を行うための一般的な技術が開示されている。
【先行技術文献】
【特許文献】
【０００６】
【特許文献１】特開２００７−０８９３４１号公報
【特許文献２】特開２０１０−０２２１０５号公報
【特許文献３】特開２０１０−２６８６１０号公報
【特許文献４】特開２００９−２１３２９５号公報
【発明の概要】
【発明が解決しようとする課題】
【０００７】
しかしながら、特許文献１乃至３では、複数の被充電機器のうち充電後に最も早く使用を開始される可能性がある機器が優先して充電されるとは限らないという問題点がある。その理由は、予め設定した優先度や過去の使用履歴等に基づいて優先度を決定しているに過ぎないからである。
【０００８】
上述したように、特許文献１では、各電子機器における電池残量比率により、充電を行う優先度を決定している。つまり、電池残量比率は、これまでどれくらいの電力を消費したかを示すのであって、今後、最も早く使用が開始されることを示すものではない。
【０００９】
また、特許文献２では、デバイスの種別といった電子機器の属性に基づいて充電の優先度を予め定義しておくか、任意に充電の優先度自体を予め設定することができるが、設定操作が介在するため、各電子機器間の優先度の変化に柔軟に対応できるとはいえない。または、特許文献２では、電池残量の閾値、記憶容量、通話／メールの送受信履歴などといった過去の使用状態に基づいて優先度を決定している。これらも過去の使用状態に基づくものであって、今後、最も早く使用が開始されることを示すものではない。
【００１０】
また、特許文献３でも特許文献１及び２と同様に、充電容量といった静的な情報に基づき予め優先度を設定しておくか、電池残量又は充電回数といった動的な情報ではあるが、過去の使用状態に過ぎないものを用いている。
【００１１】
尚、特許文献４は、充電の優先度を決定するための技術ではない。
【００１２】
そのため、特許文献１乃至４にかかる技術を用いたとしても、複数の被充電機器について同時に充電を開始させる際に、より早く使用を開始する可能性の高い特定の機器、例えば、急いで充電させたい機器を優先して充電させることはできない。これらは、将来の使用予定であり、被充電機器の属性ではない外部要因等に起因するものである。
【００１３】
本発明は、このような問題点を解決するためになされたものであり、将来の使用予定を考慮してより早く使用を開始する可能性の高い特定の被充電機器を優先して充電させるための充電装置、充電システム、充電方法及び充電制御プログラムを提供することを目的とする。
【課題を解決するための手段】
【００１４】
本発明の第１の態様にかかる充電装置は、
所定の領域に配置された複数の被充電機器に対して非接触で同時に電力を供給可能な電力供給部と、
前記配置された複数の被充電機器のうち、より早く使用が開始される可能性が高い被充電機器について優先的に電力を供給するように前記電力供給部を制御する制御部と、
を備える。
【００１５】
本発明の第２の態様にかかる充電システムは、
非接触で受電した電力によって充電可能な第１の被充電機器及び第２の被充電機器と、
前記第１の被充電機器及び前記第２の被充電機器が所定の領域に配置された場合に、当該第１の被充電機器及び当該第２の被充電機器に対して非接触で同時に電力を供給可能な電力供給部と、
前記配置された前記第１の被充電機器及び前記第２の被充電機器のうち、より早く使用が開始される可能性が高い被充電機器について優先的に電力を供給するように前記電力供給部を制御する制御部と、を有する充電装置と、
を備える。
【００１６】
本発明の第３の態様にかかる充電方法は、
複数の被充電機器に対して非接触で同時に電力を供給可能な所定の領域に、非接触で受電した電力によって充電可能な第１の被充電機器及び第２の被充電機器が配置されている場合に、当該第１の被充電機器及び当該第２の被充電機器のうちいずれがより早く使用が開始される可能性が高いかを判定し、
前記より早く使用が開始される可能性が高いと判定された被充電機器について優先的に電力を供給する
ことを特徴とする充電方法。
【００１７】
本発明の第４の態様にかかる充電制御プログラムは、
非接触で受電した電力によって充電可能な第１の被充電機器が所定の領域に配置された場合に、当該第１の被充電機器に対して非接触で電力の供給する第１の電力供給処理と、
非接触で受電した電力によって充電可能な第２の被充電機器が所定の領域に配置された場合に、前記第１の被充電機器及び前記第２の被充電機器のうちいずれがより早く使用が開始される可能性が高いかを判定する判定処理と、
前記判定された被充電機器について優先的に電力を供給する第２の電力供給処理と、
をコンピュータに実行させる。
【００１８】
本発明の第５の態様にかかる充電装置は、
所定の領域に配置された複数の被充電機器に対して非接触で同時に電力を供給可能な電力供給部と、
前記配置された複数の被充電機器のそれぞれの傾きを示す傾き状態を検出する検出部と、
前記検出された傾き状態に基づいて優先的に電力を供給する被充電機器を特定し、当該特定した被充電機器について優先的に電力を供給するように前記電力供給部を制御する制御部と、
を備える。
【発明の効果】
【００１９】
本発明により、将来の使用予定を考慮してより早く使用を開始する可能性の高い特定の被充電機器を優先して充電させるための充電装置、充電システム、充電方法及び充電制御プログラムを提供することができる。
【図面の簡単な説明】
【００２０】
【図１】本発明の実施の形態１にかかる充電システムの構成を示すブロック図である。
【図２】本発明の実施の形態１にかかる充電処理の流れを示すフローチャートである。
【図３】本発明の実施の形態２にかかる充電システムの構成を示すブロック図である。
【図４】本発明の実施の形態２にかかる充電処理の流れを示すフローチャートである。
【図５】本発明の実施の形態２にかかる優先度決定処理の流れを示すフローチャートである。
【図６】本発明の実施の形態３にかかる優先度決定処理の流れを示すフローチャートである。
【図７】本発明の実施の形態４にかかる優先度決定処理の流れを示すフローチャートである。
【発明を実施するための形態】
【００２１】
以下では、本発明を適用した具体的な実施の形態について、図面を参照しながら詳細に説明する。各図面において、同一要素には同一の符号が付されており、説明の明確化のため、必要に応じて重複説明は省略する。
【００２２】
＜発明の実施の形態１＞
図１は、本発明の実施の形態１にかかる充電システム１００の構成を示すブロック図である。充電システム１００は、被充電機器１１と、被充電機器１２と、充電装置１３とを備える。被充電機器１１及び被充電機器１２は、非接触で受電した電力によって充電可能な電子機器である。尚、図１では、被充電機器１１及び被充電機器１２の２台の場合を示すが、本発明の実施の形態１にかかる充電システム１００は、これに限定されず、３台上の被充電機器に対して適用可能である。
【００２３】
充電装置１３は、被充電機器１１及び被充電機器１２に対して個別に又は並行して非接触で充電を行うことが可能なものである。充電装置１３は、電力供給部１３１と、制御部１３２とを備える。電力供給部１３１は、所定の領域に配置された複数の被充電機器に対して非接触で同時に電力を供給可能である。制御部１３２は、前記所定の領域に配置された複数の被充電機器のうち、より早く使用が開始される可能性が高い被充電機器について優先的に電力を供給するように電力供給部１３１を制御する。
【００２４】
図２は、本発明の実施の形態１にかかる充電処理の流れを示すフローチャートである。まず、複数の被充電機器を充電装置に配置する（Ｓ１１）。例えば、被充電機器１１及び被充電機器１２が充電装置１３に配置される。ここで、配置される順序は問わない。
【００２５】
次に、充電装置１３は、被充電機器１１及び被充電機器１２のうち、より早く使用が開始される被充電機器を判定する（Ｓ１２）。例えば、充電装置１３は、被充電機器１１及び被充電機器１２に予め登録された使用予定の時間帯の定義又は充電装置１３に対する配置状態等により、いずれの被充電機器がより早く使用が開始される可能性が高いかを判定する。
【００２６】
そして、充電装置１３は、より早く使用が開始される可能性が高いと判定された被充電機器を優先して電力を供給する（Ｓ１３）。例えば、被充電機器１１に比べて被充電機器１２の方がより早く使用が開始される可能性が高いと判定した場合、充電装置１３は、少なくとも被充電機器１２に対して被充電機器１１より多くの電力を供給する。
【００２７】
言い換えると、本発明の実施の形態１にかかる充電は、複数の被充電機器に対して非接触で同時に電力を供給可能な所定の領域に、非接触で受電した電力によって充電可能な第１の被充電機器及び第２の被充電機器が配置されている場合に、当該第１の被充電機器及び当該第２の被充電機器のうちいずれがより早く使用が開始される可能性が高いかを判定し、より早く使用が開始される可能性が高いと判定された被充電機器について優先的に電力を供給する。
【００２８】
これにより、将来の使用予定を考慮してより早く使用を開始する可能性の高い特定の被充電機器を優先して充電させることができる。
【００２９】
＜発明の実施の形態２＞
図３は、本発明の実施の形態２にかかる充電システム２００の構成を示すブロック図である。充電システム２００は、携帯電話Ａ２と、携帯電話Ｂ３と、充電台４と、電源５とを備える。充電台４は、図１の充電装置１３の一例であり、電源５から電力を供給され、非接触で複数の携帯電話機等に対して同時に充電を行うことが可能である。充電台４は、送電用一次コイル４１と、制御ＩＣ部４２と、記憶部４３とを備える。
【００３０】
記憶部４３は、少なくとも充電制御プログラム４３１を記憶する記憶装置である。充電制御プログラム４３１は、後述する本発明の実施の形態２にかかる充電処理が実装されたコンピュータプログラムである。
【００３１】
制御ＩＣ部４２は、充電台４全体の動作を制御するものである。具体的には、制御ＩＣ部４２は、充電の開始及び停止並びに充電する電力の調整などの充電動作を制御する。制御ＩＣ部４２は、認証部４２１と、制御部４２２と、伝送回路４２３とを備える。認証部４２１は、充電を行う対象の被充電機器との認証処理を行う。伝送回路４２３は、送電用一次コイル４１を介して充電可能な領域に配置された任意の被充電機器との間のデータ及び電力の伝送を行う回路である。制御部４２２は、認証部４２１及び伝送回路４２３を制御する回路である。また、制御部４２２は、記憶部４３から充電制御プログラム４３１を読み込み、実行することにより、充電台４全体を制御して本発明の実施の形態２にかかる充電処理を実現する。
【００３２】
送電用一次コイル４１は、充電可能な領域に配置された任意の被充電機器との間で、認証のためのデータの送受信及び充電をさせるための電力の供給等を行う。特に、送電用一次コイル４１は、充電可能な領域に配置された複数の被充電機器に対して非接触で同時に異なる電力を供給可能である。例えば、送電用一次コイル４１は、磁気共鳴方式等により一つのコイルにより、複数の被充電機器に対して電力供給が可能である。
【００３３】
携帯電話Ａ２及び携帯電話Ｂ３は、図１の被充電機器１１及び被充電機器１２の一例である。尚、図３では、携帯電話Ａ２及び携帯電話Ｂ３の構成要素のうち、充電機能を実現するために必要なもののみを示しており、その他の機能については、図示及び説明を省略する。携帯電話Ａ２は、ＣＰＵ（Central Processing Unit）２１と、メモリ２２と、充電制御部２３と、二次電池２４と、制御ＩＣ部２５と、受電用二次コイル２６とを備える。
【００３４】
ＣＰＵ２１は、携帯電話Ａ２全体の動作を制御する制御部である。メモリ２２は、例えば、ＲＡＭ（Random Access Memory）又はＲＯＭ（Read Only Memory）等の記憶装置である。尚、メモリ２２には、携帯電話Ａ２における充電処理を制御するための制御プログラム（不図示）が記憶されているものとする。充電制御部２３は、携帯電話Ａ２における充電処理を制御する制御部である。二次電池２４は、携帯電話Ａ２を動作させるために用いられる電力を蓄積するための二次電池である。
【００３５】
制御ＩＣ部２５は、充電台４からの電力を受電するための処理を制御する制御部である。制御ＩＣ部２５は、認証部２５１と、制御部２５２と、伝送回路２５３とを備える。認証部２５１は、充電台４の認証部４２１との認証処理を行う。伝送回路２５３は、受電用二次コイル２６を介して充電台４の伝送回路４２３との間のデータ及び電力の伝送を行う回路である。制御部２５２は、認証部２５１及び伝送回路２５３を制御する回路である。また、制御部２５２は、メモリ２２等から上記制御プログラムを読み込み、実行することにより、携帯電話Ａ２における充電処理を実現する。受電用二次コイル２６は、送電用一次コイル４１との間で、認証のためのデータの送受信及び充電するための電力の受電等を行う。
【００３６】
また、携帯電話Ｂ３は、ＣＰＵ３１と、メモリ３２と、充電制御部３３と、二次電池３４と、制御ＩＣ部３５と、受電用二次コイル３６とを備える。尚、各構成要素は、携帯電話Ａ２と同等の機能を有するものであるため、詳細な説明を省略する。
【００３７】
ここで、充電台４の制御ＩＣ部４２は、次のように表現することができる。すなわち、制御ＩＣ部４２は、充電可能な領域に配置された複数の被充電機器について使用が開始される順序を決定する決定部と、当該決定された順序に基づいて、優先的に電力を供給する被充電機器を特定し、当該特定した被充電機器について優先的に電力を供給するように送電用一次コイル４１を制御する制御部とを備える。例えば、携帯電話Ａ２及び携帯電話Ｂ３に予め充電を優先することの希望有無を示す充電優先度フラグが設定済みの場合、制御ＩＣ部４２は、配置された携帯電話Ａ２及び携帯電話Ｂ３から充電優先度フラグを受け付けて、充電優先度フラグを比較することで、携帯電話Ａ２及び携帯電話Ｂ３の優先順序を決定することができる。そして、制御ＩＣ部４２は、優先順序が高い携帯電話に対してより多くの電力を割り当てて供給することができる。
【００３８】
また、充電台４上に携帯電話Ａ２又は携帯電話Ｂ３が配置され充電を行う際には、充電台４と携帯電話Ａ２又は携帯電話Ｂ３の間でＩＤ認証が行われ、認証完了後に充電が開始される。これにより、充電台４は、ＩＤ認証により携帯電話Ａ２又は携帯電話Ｂ３の素性、つまり、属性、各種設定情報等を取得することができる。
【００３９】
そのため、制御ＩＣ部４２は、次のように表現することができる。制御ＩＣ部４２は、充電可能な領域に配置された複数の被充電機器のそれぞれから予定情報を取得する取得部を備える。この場合、決定部は、取得された予定情報に基づいて前記順序を決定する。ここで、予定情報は、各被充電機器を使用する予定を示す情報である。予定情報の例としては、例えば、被充電機器を所有するユーザのスケジュール情報（外出予定など）や地デジ録画予定などがある。
【００４０】
予定情報としてユーザのスケジュール情報（外出予定）が登録されているとは、すなわち、当該被充電機器が充電することが困難な時間帯である充電困難時間帯を含むことを意味する。そのため、被充電機器に予め充電困難時間帯を含む予定情報が登録されている場合、被充電機器への充電が不十分な状態で外出等をしてしまうと、外出中に電池残量が足りなくなり、当該被充電機器が動作できない又は機能が制限される可能性が高いといえる。よって、当該ユーザは、充電困難時間帯までに充電を完了しておくことを潜在的に希望しているということができる。つまり、当該被充電機器を他の被充電機器に比べて優先して充電を行うニーズがあるといえる。そこで、この場合、前記取得部は、当該被充電機器から予定情報を取得し、前記決定部は、取得された予定情報に含まれる充電困難時間帯の開始時刻が他の被充電機器と比べて早い被充電機器を、より高い優先順序として決定する。
【００４１】
また、予定情報として地デジ録画予定が登録されているとは、すなわち、被充電機器の所定の機能が動作を開始する動作開始時間帯を含むことを意味する。そのため、被充電機器に予め動作開始時間帯を含む予定情報が登録されている場合、被充電機器への充電が不十分な状態で録画が開始されると、録画中に電池残量が足りなくなり、録画が完了しない可能性が起こり得る。よって、当該ユーザは、動作開始時間帯までに充電を完了しておくことを潜在的に希望しているということができる。つまり、当該被充電機器を他の被充電機器に比べて優先して充電を行うニーズがあるといえる。そこで、この場合、前記取得部は、当該被充電機器から予定情報を取得し、前記決定部は、取得された予定情報に含まれる動作開始時間帯に基づいて、前記配置された複数の被充電機器のうち現時点からより近い時間帯に動作の開始が予定されている被充電機器を、より高い順序として決定する。尚、動作開始時間帯の例は、地デジ録画予定に限定されない。
【００４２】
または、予定情報が登録された被充電機器は、自己の充電優先度フラグを設定しておいてもよい。そして、制御ＩＣ部４２は、複数の被充電機器に充電を行なう際に、予定情報が取得された場合には、当該予定情報が登録された被充電機器について優先して充電を行うように伝送回路４２３及び送電用一次コイル４１等を制御するとよい。
【００４３】
尚、携帯電話Ａ２及び携帯電話Ｂ３が非接触で電力を受電した場合に、二次電池２４及び二次電池３４へ電力を蓄積する処理や上記ＩＤ認証処理については、公知の技術であるため、詳細な説明を省略する。また、充電システム２００は、被充電機器として携帯電話Ａ２及び携帯電話Ｂ３の２台である場合を示したが、本発明の実施の形態２は、３台上の被充電機器に対して適用可能である。
【００４４】
図４は、本発明の実施の形態２にかかる充電処理の流れを示すフローチャートである。尚、図４では、本発明の実施の形態２にかかる充電処理の一例として、図３に示した携帯電話Ａ２及び携帯電話Ｂ３の２台に対する充電処理について説明する。
【００４５】
まず、携帯電話Ａ２を充電台４に配置する（Ｓ２１）。これにより、充電台４は、携帯電話Ａ２との間でＩＤ認証を行う。
【００４６】
認証が完了した後、充電台４は、携帯電話Ａ２に対して充電を開始する。つまり、充電台４は、送電用一次コイル４１を介して携帯電話Ａ２に対して電力の供給を開始する。このとき、充電台４は、携帯電話Ａ２に対して供給可能な電力の全てを割り当てて供給する。
【００４７】
そして、携帯電話Ａ２は、受電用二次コイル２６により電力を受電し、二次電池２４に充電する。但し、充電電流の大きさは、携帯電話Ａ２内部の制御ＩＣ部２５や充電台４側の制御ＩＣ部４２により制御可能である。また、充電台４は、取得したＩＤにより充電対象の携帯電話Ａ２から予め登録された使用予定の時間帯の定義又は充電台４に対する配置状態等の情報を取得可能となる。
【００４８】
次に、携帯電話Ｂ３を充電台４に配置する（Ｓ２２）。これにより、充電台４は、携帯電話Ｂ３との間でＩＤ認証を行う。認証が完了した後、充電台４は、携帯電話Ａ２に対して充電が可能な状態となる。また、充電台４は取得したＩＤにより充電対象の携帯電話Ｂ３から予め登録された使用予定の時間帯の定義又は充電台４に対する配置状態等の情報を取得可能となる。
【００４９】
ここで、充電台４は、優先度決定処理を行う（Ｓ２３）。図５は、本発明の実施の形態２にかかる優先度決定処理の流れを示すフローチャートである。まず、充電台４は、携帯電話Ａ２から予定情報を取得する（Ｓ４１）。そして、充電台４は、取得した予定情報から時間帯を特定する（Ｓ４２）。例えば、予定情報がスケジュール情報である場合、充電台４は、スケジュール情報を解析し、当該スケジュールの開始時間及び終了時間を抽出することにより充電困難時間帯を特定する。また、予定情報が地デジ録画予定である場合、充電台４は、地デジ録画予定の開始時間及び終了時間を抽出することにより動作開始時間帯を特定する。
【００５０】
同様に、充電台４は、携帯電話Ｂ３から予定情報を取得する（Ｓ４３）。そして、充電台４は、予定情報から時間帯を特定する（Ｓ４４）。
【００５１】
その後、充電台４は、携帯電話Ａ２の時間帯の開始時刻が携帯電話Ｂ３の時間帯の開始時刻に比べて早いか否かを判定する（Ｓ４５）。携帯電話Ｂ３に比べて携帯電話Ａ２の時間帯の開始時刻が早いと判定した場合、充電台４は、携帯電話Ａ２の充電優先度フラグを立てる（Ｓ４６）。例えば、充電台４は、記憶部４３に携帯電話Ａ２の識別情報と充電優先度フラグとを対応付けて格納する。
【００５２】
また、ステップＳ４５で携帯電話Ｂ３に比べて携帯電話Ａ２の時間帯の開始時刻が早くないと判定した場合、充電台４は、携帯電話Ｂ３の充電優先度フラグを立てる（Ｓ４７）。例えば、充電台４は、記憶部４３に携帯電話Ｂ３の識別情報と充電優先度フラグとを対応付けて格納する。尚、ステップＳ４５で携帯電話Ａ２と携帯電話Ｂ３の時間帯の開始時刻が等しい場合には、いずれの充電優先度フラグも設定しなくても構わない。
【００５３】
尚、携帯電話Ａ２又は携帯電話Ｂ３に予定情報が未登録の場合、ステップＳ４２又はＳ４４においては、充電台４は、例えば、数１０年度等の仮の時間帯を特定しても構わない。また、携帯電話Ａ２及び携帯電話Ｂ３が充電優先度フラグを充電台４に対して送信しても構わない。この場合、ステップＳ４５において、充電台４は、充電優先度フラグの受信有無により判定しても構わない。
【００５４】
図４に戻って説明する。ステップＳ２３の後、充電台４は、携帯電話Ａ２への充電を優先するか否かを判定する（Ｓ２４）。例えば、充電台４は、記憶部４３に格納された充電優先度フラグを参照していずれの携帯電話の識別情報が対応付けられているかを確認する。
【００５５】
ステップＳ２４で携帯電話Ａ２への充電を優先すると判定した場合、充電台４は、携帯電話Ａ２へより多くの電力を供給する（Ｓ２５）。例えば、制御ＩＣ部４２は、供給可能な電力のうち少なくとも半分以上の電力を配分して、送電用一次コイル４１を介して受電用二次コイル２６へ供給する。ここでは、制御ＩＣ部４２は、既に携帯電話Ａ２に対して全ての電力を供給中であるため、配分する電力の割合を減らすことになる。但し、引き続き携帯電話Ａ２に対して全ての電力を半分しても構わない。
【００５６】
そして、充電台４は、携帯電話Ａ２への充電が完了したか否かを判定する（Ｓ２６）。充電が未完了と判定した場合、所定時間経過後、再度ステップＳ２６の判定を行う。つまり、携帯電話Ａ２への電力の供給を継続する。充電が完了したと判定した場合、充電台４は、携帯電話Ｂ３へ供給する電力を増加する（Ｓ２７）。例えば、制御ＩＣ部４２は、供給可能な電力のうち全ての電力を配分して、送電用一次コイル４１を介して受電用二次コイル３６へ供給する。
【００５７】
そして、充電台４は、携帯電話Ｂ３への充電が完了したか否かを判定する（Ｓ２８）。充電が未完了と判定した場合、所定時間経過後、再度ステップＳ２８の判定を行う。つまり、携帯電話Ｂ３への電力の供給を継続する。充電が完了したと判定した場合、当該充電処理を終了する。
【００５８】
また、ステップＳ２４で携帯電話Ａ２への充電を優先しないと判定した場合、充電台４は、携帯電話Ｂ３へより多くの電力を供給する（Ｓ２９）。例えば、制御ＩＣ部４２は、供給可能な電力のうち少なくとも半分以上の電力を配分して、送電用一次コイル４１を介して受電用二次コイル３６へ供給する。ここでは、制御ＩＣ部４２は、既に携帯電話Ａ２に対して全ての電力を供給中であるため、携帯電話Ａ２に対して配分する電力の割合を減らすこともなる。尚、携帯電話Ｂ３に対して全ての電力を半分しても構わない。つまり、制御ＩＣ部４２は、携帯電話Ｂ３が携帯電話Ａ２より早く使用が開始される可能性が高いと判定された場合、携帯電話Ｂ３に対して供給する電力が携帯電話Ａ２に対して供給している電力より多くなるように供給する。
【００５９】
尚、ステップＳ２９は、携帯電話Ｂ３への充電を優先すると判定した場合であり、携帯電話Ａ２及び携帯電話Ｂ３のいずれも優先しない場合は、そのまま当該充電処理を終了する。
【００６０】
そして、充電台４は、携帯電話Ｂ３への充電が完了したか否かを判定する（Ｓ３０）。充電が未完了と判定した場合、所定時間経過後、再度ステップＳ３０の判定を行う。つまり、携帯電話Ｂ３への電力の供給を継続する。充電が完了したと判定した場合、充電台４は、携帯電話Ａ２へ供給する電力を増加する（Ｓ３１）。そして、充電台４は、携帯電話Ａ２への充電が完了したか否かを判定する（Ｓ３２）。充電が未完了と判定した場合、所定時間経過後、再度ステップＳ３２の判定を行う。つまり、携帯電話Ａ２への電力の供給を継続する。充電が完了したと判定した場合、当該充電処理を終了する。
【００６１】
このように、制御ＩＣ部４２は、優先する側の携帯電話に対してより多くの電流を供給するように充電電流の制御を行う。これにより、一方の携帯電話の充電が優先されて充電電流が大きくなり充電時間が早くなる。
【００６２】
尚、ステップＳ２６及びＳ３０において、充電台４は、優先した携帯電話への充電が完了するまで電力の供給を優先しなくてもよい。例えば、所定の電力量まで充電されるまで、優先するようにしてもよい。
【００６３】
例えば、取得した予定情報に動作開始時間帯が含まれる場合、充電台４は、動作開始時間帯に基づいて、優先すべき携帯電話が当該予定情報に基づいて動作した場合に消費される電力量を予測する。そして、当該携帯電話に対して予測した電力量が充電されるまで優先して電力を供給する。予測した電力量が充電された後、複数の携帯電話に対して略均等に電力を供給する。これにより、優先されない携帯電話に対しても、所定の電力量までの充電をより早くすることも可能となる。
【００６４】
また、図３では、被充電機器の一例として携帯電話機を挙げたが、本発明の実施の形態２にかかる充電台４の充電対象の機器は、これに限定されない。例えば、充電台４の充電対象の機器としては、携帯電話機を含む携帯型情報通信機器一般、デジタルカメラ、デジタルムービー録画機、携帯型ゲーム機等、非接触で電力を受電し、充電可能な電子機器であればよい。そして、充電台４は、充電対象の機器の種別に応じて充電の優先度を予め定義しても構わない。その場合、図５のステップＳ４１及びＳ４３において各機器から種別を示す情報を取得し、ステップＳ４２及びＳ４４において取得した種別情報に応じた優先度を特定し、ステップＳ４５において、特定された優先度により判定することで実現可能である。これにより、ユーザにとっては、配置の順序等を考慮することなく、より優先度の高いデバイスを優先して充電することが可能となる。
【００６５】
また、同じ種別の機器を複数台所有するユーザは、用途により機器を使い分ける場合がある。例えば、携帯電話をビジネス用途とプライベート用途で２台を使い分ける場合が考えられる。この場合、平日はビジネス用途の携帯電話を優先して充電を行い、休日(休前日)はプライベート用途の携帯電話を優先して充電することを、ユーザは潜在的に希望しているということができる。
【００６６】
そのためには、予め各携帯電話又は充電台に各携帯電話の使用する用途を示す用途情報を設定しておく。また、充電台には、用途情報に対応する時間帯の情報を設定しておく。例えば、ビジネス用途の場合、日曜の１７時以降から金曜の１７時頃までの時間帯を対応付け、プライベート用途の場合、金曜の１７時以降から日曜の１７時頃までの時間帯を対応付けるなどである。このとき、上述した取得部は、上述した予定情報に代えて用途情報を取得することができる。そして、上述した決定部は、取得された用途情報に基づいて各被充電機器が使用される時間帯を特定し、配置された複数の被充電機器のうち、充電の完了予定の時間帯が当該特定された時間帯に含まれる被充電機器をより高い順序として決定することで、優先的に電力を供給することが実現可能である。
【００６７】
＜発明の実施の形態３＞
上述した実施の形態２では、被充電機器から取得した予定情報又は用途情報に基づいて図５の優先度決定処理により各被充電機器の優先順序を決定していた。しかし、予定情報又は用途情報は、ユーザによって予め登録しておく必要がある。そのため、被充電機器の使用中などに電池残量が減ってきた場合などには対応することが困難である。その場合、充電装置に配置した時点での被充電機器の物理的又は機能的な使用状態によって、直後に使用される可能性が高いか否かの判定が可能である。そこで、本発明の実施の形態３にかかる充電装置は、充電可能な領域に配置された複数の被充電機器のそれぞれの状態を検出する検出部をさらに備え、前記決定部は、前記検出された状態に基づいて前記順序を決定するものとする。これにより、予定情報が予め設定されていなくとも、被充電機器を所有するユーザの直近の意図をより考慮して充電の優先順序を決定することができる。
【００６８】
ここで、被充電機器の物理的な使用状態の例を挙げる。例えば、被充電機器が蓋部を有する場合には、蓋部の開閉状態、つまり、物理的な状態により直近の使用可能性を判定可能である。すなわち、蓋部が開状態である場合には、ユーザが当該被充電機器を使用中であり、継続使用するに当たり充電を急いでいることが想定できる。つまり、蓋部が開状態である場合には、蓋部が閉状態である者に比べてより早く使用が開始される可能性が高い、つまり、充電の優先度が高いといえる。
【００６９】
ここで、蓋部を有する被充電機器には、いわゆるホールセンサが備え付けられていることが多い。そして、ホールセンサは、蓋部の開閉状態を検出することができる。尚、蓋部の開閉状態には、スライド型の開閉状態も含まれるものとする。そこで、本発明の実施の形態３にかかる充電システムでは、蓋部とホールセンサとを備える被充電機器を充電台の充電対象とする。そして、本発明の実施の形態３にかかる充電装置の検出部は、充電可能な領域に配置された当該被充電機器から、ホールセンサ等により検出された開閉状態を取得する。そして、決定部は、前記開閉状態が前記蓋部の開状態を示す場合に、当該被充電機器をより高い順序として決定する。尚、本発明の実施の形態３にかかる充電システムの構成要素は、図３と同等であるため、図示及び説明を省略する。
【００７０】
図６は、本発明の実施の形態３にかかる優先度決定処理の流れを示すフローチャートである。ここでは、被充電機器が携帯電話であり、個別の携帯電話に対する充電優先度を決定する処理について説明する。
【００７１】
まず、充電台４は、充電可能な領域に配置された携帯電話から開閉状態を取得する（Ｓ６１）。次に、充電台４は、取得した開閉状態が開状態であるか否かを判定する（Ｓ６２）。そして、開状態である場合、充電台４は、当該携帯電話の充電優先度を上げる（Ｓ６３）。例えば、制御ＩＣ部４２は、記憶部４３に当該携帯電話の充電優先度フラグを立てて記憶する。
【００７２】
ステップＳ６２で開状態でない、つまり閉状態と判定した場合、及びステップＳ６３の後、当該優先度決定処理を終了する。この後、充電台４は、他の携帯電話についても同様に図６の優先度決定処理を行うことで、例えば、図４のステップＳ２４によりいずれの携帯電話が優先されるべきかを判定することができる。
【００７３】
また、被充電機器の機能的な使用状態の例を挙げる。例えば、近年のいわゆるスマートフォンには、蓋部がないものも多い。そこで、被充電機器が有する画面の表示状態により、直後に使用される可能性が高いか否かの判定することが可能である。例えば、スマートフォンの画面にアプリケーション等の機能による内容が表示されている場合には、ユーザが継続してスマートフォンを使用している可能性が高いといえる。
【００７４】
そこで、本発明の実施の形態３にかかる充電装置の検出部は、各被充電機器が有する画面の表示状態を前記状態として検出し、前記決定部は、前記表示状態が前記画面に当該被充電機器の所定の機能の動作内容が表示されていることを示す場合に、当該被充電機器をより高い順序として決定する。これにより、上記のホールセンサにより検出された開閉状態を用いて優先度を決定する場合と同様に、予定情報以外の情報を用いずに、直後に使用される可能性を判定できる。
【００７５】
＜発明の実施の形態４＞
本発明の実施の形態４では、上述した実施の形態３にかかる優先度決定処理の他の実施例について説明する。非接触で電力を供給可能な充電装置に被充電機器を配置した場合、配置の角度によっては、充電効率が低下する場合がある。例えば、充電装置の充電可能な領域の面に対して傾いて配置された場合には、電力の供給にロスが発生し、充電効率が悪く、発熱する場合もある。
【００７６】
一方、近年の被充電機器には、いわゆる加速度センサを搭載したものも多い。加速度センサは、搭載された機器の水平度を検出することができる。そこで、本発明の実施の形態４にかかる充電システムでは、加速度センサを備える被充電機器を充電装置の充電対象とする。さらに、充電装置にも加速度センサを備えるものとする。但し、充電装置の充電可能な領域の面が水平である場合には、最低限、被充電機器に加速度センサが搭載されていればよい。そして、本発明の実施の形態４にかかる充電装置の検出部は、当該充電装置に対して配置された各被充電機器の傾きを示す傾き状態を前記状態として検出し、前記決定部は、前記傾き状態が所定値以上であるか否かに応じて前記順序を決定する。
【００７７】
被充電機器と充電装置との加速度センサによる水平度が一致しない場合には、被充電機器と充電装置とが正対していないため充電効率が低下すると考えられる。そのため、これを補うために、被充電機器から充電装置へ水平度の情報を送信して、当該被充電機器の優先度を上げたり、逆に、充電効率が悪いことに伴う発熱への懸念が高い場合には、敢えて、当該被充電機器の充電の優先度を下げて発熱を抑えたり、他の被充電機器を優先して早く充電するなどの制御が可能となる。尚、本発明の実施の形態４にかかる充電システムの構成要素は、図３と同等であるため、図示及び説明を省略する。
【００７８】
図７は、本発明の実施の形態４にかかる優先度決定処理の流れを示すフローチャートである。ここでは、被充電機器が携帯電話であり、個別の携帯電話に対する充電優先度を決定する処理について説明する。
【００７９】
まず、充電台４は、充電可能な領域に配置された携帯電話から水平度を取得する（Ｓ７１）。また、充電台４は、充電台４の水平度を検出する（Ｓ７２）。そして、充電台４は、水平度が一致するか否かを判定する（Ｓ７３）。水平度が一致しない場合、充電台４は、当該携帯電話の充電優先度を下げる（Ｓ７４）。例えば、制御ＩＣ部４２は、記憶部４３に当該携帯電話の充電優先度フラグを下げて記憶する。又は、制御ＩＣ部４２は、記憶部４３に他の携帯電話の充電優先度フラグを立てて記憶する。
【００８０】
ステップＳ７３で開状態でない、つまり閉状態と判定した場合、及びステップＳ７４の後、当該優先度決定処理を終了する。この後、充電台４は、他の携帯電話についても同様に図７の優先度決定処理を行うことで、例えば、図４のステップＳ２４によりいずれの携帯電話が優先されるべきかを判定することができる。
【００８１】
尚、本発明の実施の形態４にかかる充電装置は、次のように表現することもできる。すなわち、所定の領域に配置された複数の被充電機器に対して非接触で同時に電力を供給可能な電力供給部と、前記配置された複数の被充電機器のそれぞれの傾きを示す傾き状態を検出する検出部と、前記検出された傾き状態に基づいて優先的に電力を供給する被充電機器を特定し、当該特定した被充電機器について優先的に電力を供給するように前記電力供給部を制御する制御部と、を備える充電装置。
【００８２】
＜その他の発明の実施の形態＞
尚、上述した実施の形態３及び４は、被充電機器に搭載した所定のセンサの情報から優先度を決定する方法である。
【００８３】
また、上述した実施の形態２乃至４は、上述した実施の形態１の実施例である。そして、上述した実施の形態２乃至４は、それぞれを組み合わせることで、より優先度決定の精度を高めることができる。
【００８４】
さらに、本発明の実施の形態１乃至４は、被充電機器が有する以下の情報を用いて優先度を決定することが可能である。
【００８５】
まず、携帯電話で乗り物（新幹線、長距離鉄道、長距離バス、タクシー又は飛行機など）の乗車券を購入した際に、その車内において共用の非接触型の充電台で充電を行う場合、乗車区間又は乗車時間に応じて優先度を決定することができる。例えば、乗車時間が少ない人から優先的に充電を行うなどができる。この例においては、乗車券購入履歴に充電優先度をリンクさせることで実現可能である。
【００８６】
さらに、携帯電話において電子決済の情報から優先度を決定することも可能である。例えば、カフェ、レストランなどに設置された共用の非接触型の充電台を使用する場合、その施設での使用金額に応じて充電の優先度を決定する。例えば、電子決済の購入履歴から優先度を決定することで実現可能である。
【００８７】
本発明の実施の形態１乃至４により、非接触で充電中の複数の被充電機器の中から、急いで充電させたい機器を優先して充電することが可能となる。特に、優先度の決定方法として、未来に予定している行動や、もともと被充電機器内に設定されていない外部要因（例えば、上記の状態等）をもとに優先度を決定することもできる。
【００８８】
また、本発明の実施の形態１は、次のように表現することもできる。すなわち、送電用コイルをもち非接触充電を行うことができる充電台と受電用コイルを持ち電力を受電することができる携帯型デバイスにおいて、それぞれのＩＤ認証後に複数のデバイスの同時充電を行う際に、デバイスの条件によって充電の優先度（電力の配分）を決定する方法。
【００８９】
さらに、本発明は上述した実施の形態のみに限定されるものではなく、既に述べた本発明の要旨を逸脱しない範囲において種々の変更が可能であることは勿論である。例えば、上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。
【００９０】
非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、ＤＶＤ（Digital Versatile Disc）、ＢＤ(Blu-ray(登録商標) Disc)、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、コンピュータプログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９１】
上記の実施形態の一部又は全部は、以下の付記のようにも記載され得るが、以下には限られない。
【００９２】
（付記１）  所定の領域に配置された複数の被充電機器に対して非接触で同時に電力を供給可能な電力供給部と、
前記配置された複数の被充電機器のうち、より早く使用が開始される可能性が高い被充電機器について優先的に電力を供給するように前記電力供給部を制御する制御部と、
を備える充電装置。
【００９３】
（付記２）  前記配置された複数の被充電機器について使用が開始される順序を決定する決定部をさらに備え、
前記制御部は、前記決定された順序に基づいて、優先的に電力を供給する被充電機器を特定し、当該特定した被充電機器について優先的に電力を供給するように前記電力供給部を制御する
ことを特徴とする付記１に記載の充電装置。
【００９４】
（付記３）  前記配置された複数の被充電機器のそれぞれから各被充電機器を使用する予定を示す予定情報を取得する取得部をさらに備え、
前記決定部は、前記取得された予定情報に基づいて前記順序を決定する
ことを特徴とする付記２に記載の充電装置。
【００９５】
（付記４）  前記予定情報は、前記被充電機器が充電することが困難な時間帯である充電困難時間帯を含み、
前記決定部は、前記取得された予定情報に含まれる充電困難時間帯がより早い被充電機器をより高い順序として決定する
ことを特徴とする付記３に記載の充電装置。
【００９６】
（付記５）  前記予定情報は、前記被充電機器の所定の機能が動作を開始する動作開始時間帯を含み、
前記決定部は、前記取得された予定情報に含まれる動作開始時間帯に基づいて、前記配置された複数の被充電機器のうち現時点からより近い時間帯に動作の開始が予定されている被充電機器をより高い順序として決定する
ことを特徴とする付記３に記載の充電装置。
【００９７】
（付記６）  前記決定部は、
前記取得された予定情報に含まれる動作開始時間帯に基づいて、当該予定情報に基づいて動作した場合に消費される電力量を予測し、
当該予測した電力量が充電されるまで優先して充電されるように前記順序を決定する
ことを特徴とする付記５に記載の充電装置。
【００９８】
（付記７）  前記配置された複数の被充電機器のそれぞれから各被充電機器の使用する用途を示す用途情報を取得する取得部をさらに備え、
前記決定部は、
前記取得された用途情報に基づいて各被充電機器が使用される時間帯を特定し、
前記配置された複数の被充電機器のうち、充電の完了予定の時間帯が当該特定された時間帯に含まれる被充電機器をより高い順序として決定する
ことを特徴とする付記２に記載の充電装置。
【００９９】
（付記８）  前記配置された複数の被充電機器のそれぞれの状態を検出する検出部をさらに備え、
前記決定部は、前記検出された状態に基づいて前記順序を決定する
ことを特徴とする付記２に記載の充電装置。
【０１００】
（付記９）  前記検出部は、各被充電機器が有する蓋部の開閉状態を前記状態として検出し、
前記決定部は、前記開閉状態が前記蓋部の開状態を示す場合に、当該被充電機器をより高い順序として決定する
ことを特徴とする付記８に記載の充電装置。
【０１０１】
（付記１０）  前記検出部は、各被充電機器が有する画面の表示状態を前記状態として検出し、
前記決定部は、前記表示状態が前記画面に当該被充電機器の所定の機能の動作内容が表示されていることを示す場合に、当該被充電機器をより高い順序として決定する
ことを特徴とする付記８に記載の充電装置。
【０１０２】
（付記１１）  前記検出部は、当該充電装置に対して配置された各被充電機器の傾きを示す傾き状態を前記状態として検出し、
前記決定部は、前記傾き状態が所定値以上であるか否かに応じて前記順序を決定する
ことを特徴とする付記８に記載の充電装置。
【０１０３】
（付記１２）  非接触で受電した電力によって充電可能な第１の被充電機器及び第２の被充電機器と、
前記第１の被充電機器及び前記第２の被充電機器が所定の領域に配置された場合に、当該第１の被充電機器及び当該第２の被充電機器に対して非接触で同時に電力を供給可能な電力供給部と、
前記配置された前記第１の被充電機器及び前記第２の被充電機器のうち、より早く使用が開始される可能性が高い被充電機器について優先的に電力を供給するように前記電力供給部を制御する制御部と、を有する充電装置と、
を備える充電システム。
【０１０４】
（付記１３）  前記充電装置は、
前記配置された前記第１の被充電機器及び前記第２の被充電機器について使用が開始される順序を決定する決定部をさらに備え、
前記制御部は、前記決定された順序に基づいて、優先的に電力を供給する被充電機器を特定し、当該特定した被充電機器について優先的に電力を供給するように前記電力供給部を制御する
ことを特徴とする付記１２に記載の充電システム。
【０１０５】
（付記１４）  前記充電装置は、
前記配置された前記第１の被充電機器及び前記第２の被充電機器のそれぞれから各被充電機器を使用する予定を示す予定情報を取得する取得部をさらに備え、
前記決定部は、前記取得された予定情報に基づいて前記順序を決定する
ことを特徴とする付記１３に記載の充電システム。
【０１０６】
（付記１５）  前記予定情報は、前記被充電機器が充電することが困難な時間帯である充電困難時間帯を含み、
前記決定部は、前記取得された予定情報に含まれる充電困難時間帯がより早い被充電機器をより高い順序として決定する
ことを特徴とする付記１４に記載の充電システム。
【０１０７】
（付記１６）  前記予定情報は、前記被充電機器の所定の機能が動作を開始する動作開始時間帯を含み、
前記決定部は、前記取得された予定情報に含まれる動作開始時間帯に基づいて、前記配置された複数の被充電機器のうち現時点からより近い時間帯に動作の開始が予定されている被充電機器をより高い順序として決定する
ことを特徴とする付記１４に記載の充電システム。
【０１０８】
（付記１７）  前記決定部は、
前記取得された予定情報に含まれる動作開始時間帯に基づいて、当該予定情報に基づいて動作した場合に消費される電力量を予測し、
当該予測した電力量が充電されるまで優先して充電されるように前記順序を決定する
ことを特徴とする付記１６に記載の充電システム。
【０１０９】
（付記１８）  前記充電装置は、
前記配置された複数の被充電機器のそれぞれから各被充電機器の使用する用途を示す用途情報を取得する取得部をさらに備え、
前記決定部は、
前記取得された用途情報に基づいて各被充電機器が使用される時間帯を特定し、
前記配置された複数の被充電機器のうち、充電の完了予定の時間帯が当該特定された時間帯に含まれる被充電機器をより高い順序として決定する
ことを特徴とする付記１３に記載の充電システム。
【０１１０】
（付記１９）  前記充電装置は、
前記配置された複数の被充電機器のそれぞれの状態を検出する検出部をさらに備え、
前記決定部は、前記検出された状態に基づいて前記順序を決定する
ことを特徴とする付記１３に記載の充電システム。
【０１１１】
（付記２０）  前記検出部は、各被充電機器が有する蓋部の開閉状態を前記状態として検出し、
前記決定部は、前記開閉状態が前記蓋部の開状態を示す場合に、当該被充電機器をより高い順序として決定する
ことを特徴とする付記１９に記載の充電システム。
【０１１２】
（付記２１）  前記検出部は、各被充電機器が有する画面の表示状態を前記状態として検出し、
前記決定部は、前記表示状態が前記画面に当該被充電機器の所定の機能の動作内容が表示されていることを示す場合に、当該被充電機器をより高い順序として決定する
ことを特徴とする付記１９に記載の充電システム。
【０１１３】
（付記２２）  前記検出部は、当該充電装置に対して配置された各被充電機器の傾きを示す傾き状態を前記状態として検出し、
前記決定部は、前記傾き状態が所定値以上であるか否かに応じて前記順序を決定する
ことを特徴とする付記１９に記載の充電システム。
【０１１４】
（付記２３）  複数の被充電機器に対して非接触で同時に電力を供給可能な所定の領域に、非接触で受電した電力によって充電可能な第１の被充電機器及び第２の被充電機器が配置されている場合に、当該第１の被充電機器及び当該第２の被充電機器のうちいずれがより早く使用が開始される可能性が高いかを判定し、
前記より早く使用が開始される可能性が高いと判定された被充電機器について優先的に電力を供給する
ことを特徴とする充電方法。
【０１１５】
（付記２４）  前記第２の被充電機器が前記第１の被充電機器より早く使用が開始される可能性が高いと判定された場合、前記第２の被充電機器に対して供給する電力が前記第１の被充電機器に対して供給している電力より多くなるように供給する
ことを特徴とする付記２３に記載の充電方法。
【０１１６】
（付記２５）  前記第１の被充電機器及び前記第２の被充電機器のそれぞれから前記被充電機器の所定の機能が動作を開始する動作開始時間帯を含む予定情報を取得し、
前記取得された予定情報に基づいて、前記第２の被充電機器が前記第１の被充電機器より早く使用が開始される可能性が高いと判定された場合、当該第２の被充電機器における前記動作開始時間帯に基づいて、当該予定情報に基づいて動作した場合に消費される電力量を予測し、
前記第２の被充電機器に対して前記予測した電力量が充電されるまで優先して電力を供給し、
前記予測した電力量が充電された後、前記第１の被充電機器及び前記第２の被充電機器に対して略均等に電力を供給する
ことを特徴とする付記２３又は２４に記載の充電方法。
【０１１７】
（付記２６）  前記第１の被充電機器及び前記第２の被充電機器のそれぞれから各被充電機器の使用する用途を示す用途情報を取得し、
前記取得された用途情報に基づいて各被充電機器が使用される時間帯を特定し、
前記配置された複数の被充電機器のうち、充電の完了予定の時間帯が当該特定された時間帯に含まれる被充電機器について優先的に電力を供給する
ことを特徴とする付記２３又は２４に記載の充電方法。
【０１１８】
（付記２７）  前記第１の被充電機器及び前記第２の被充電機器のそれぞれから各被充電機器が有する蓋部の開閉状態を検出し、
前記開閉状態が前記蓋部の開状態を示す場合に、当該被充電機器について優先的に電力を供給する
ことを特徴とする付記２３又は２４に記載の充電方法。
【０１１９】
（付記２８）  前記第１の被充電機器及び前記第２の被充電機器のそれぞれから各被充電機器の傾きを示す傾き状態を検出し、
前記傾き状態が所定値以上であるか否かに応じて優先的に電力を供給する被充電機器を決定する
ことを特徴とする付記２３又は２４に記載の充電方法。
【０１２０】
（付記２９）  非接触で受電した電力によって充電可能な第１の被充電機器が所定の領域に配置された場合に、当該第１の被充電機器に対して非接触で電力の供給する第１の電力供給処理と、
非接触で受電した電力によって充電可能な第２の被充電機器が所定の領域に配置された場合に、前記第１の被充電機器及び前記第２の被充電機器のうちいずれがより早く使用が開始される可能性が高いかを判定する判定処理と、
前記判定された被充電機器について優先的に電力を供給する第２の電力供給処理と、
をコンピュータに実行させる充電制御プログラム。
【０１２１】
（付記３０）  前記第２の電力供給処理は、前記判定処理により前記第２の被充電機器が前記第１の被充電機器より早く使用が開始される可能性が高いと判定された場合、前記第２の被充電機器に対して供給する電力が前記第１の被充電機器に対して供給している電力より多くなるように供給する
ことを特徴とする付記２９に記載の充電制御プログラム。
【０１２２】
（付記３１）  前記第１の被充電機器及び前記第２の被充電機器のそれぞれから前記被充電機器の所定の機能が動作を開始する動作開始時間帯を含む予定情報を取得する取得処理と、
前記取得された予定情報に基づいて、前記第２の被充電機器が前記第１の被充電機器より早く使用が開始される可能性が高いと判定された場合、当該第２の被充電機器における前記動作開始時間帯に基づいて、当該予定情報に基づいて動作した場合に消費される電力量を予測する予測処理と、
をさらに前記コンピュータに実行させ、
前記第２の電力供給処理は、
前記第２の被充電機器に対して前記予測した電力量が充電されるまで優先して電力を供給し、
前記予測した電力量が充電された後、前記第１の被充電機器及び前記第２の被充電機器に対して略均等に電力を供給する
ことを特徴とする付記２９又は３０に記載の充電制御プログラム。
【０１２３】
（付記３２）  前記第１の被充電機器及び前記第２の被充電機器のそれぞれから各被充電機器の使用する用途を示す用途情報を取得する取得処理と、
前記取得された用途情報に基づいて各被充電機器が使用される時間帯を特定する特定処理と、
をさらに前記コンピュータに実行させ、
前記第２の電力供給処理は、
前記配置された複数の被充電機器のうち、充電の完了予定の時間帯が当該特定された時間帯に含まれる被充電機器について優先的に電力を供給する
ことを特徴とする付記２９又は３０に記載の充電制御プログラム。
【０１２４】
（付記３３）  前記第１の被充電機器及び前記第２の被充電機器のそれぞれから各被充電機器が有する蓋部の開閉状態を検出する検出処理をさらに前記コンピュータに実行させ、
前記第２の電力供給処理は、前記開閉状態が前記蓋部の開状態を示す場合に、当該被充電機器について優先的に電力を供給する
ことを特徴とする付記２９又は３０に記載の充電制御プログラム。
【０１２５】
（付記３４）  前記第１の被充電機器及び前記第２の被充電機器のそれぞれから各被充電機器の傾きを示す傾き状態を検出する検出処理をさらに前記コンピュータに実行させ、
前記第２の電力供給処理は、前記傾き状態が所定値以上であるか否かに応じて優先的に電力を供給する被充電機器を決定する
ことを特徴とする付記２９又は３０に記載の充電制御プログラム。
【０１２６】
（付記３５）  所定の領域に配置された複数の被充電機器に対して非接触で同時に電力を供給可能な電力供給部と、
前記配置された複数の被充電機器のそれぞれの傾きを示す傾き状態を検出する検出部と、
前記検出された傾き状態に基づいて優先的に電力を供給する被充電機器を特定し、当該特定した被充電機器について優先的に電力を供給するように前記電力供給部を制御する制御部と、
を備える充電装置。
【符号の説明】
【０１２７】
１００  充電システム
１１  被充電機器
１２  被充電機器
１３  充電装置
１３１  電力供給部
１３２  制御部
２００  充電システム
２  携帯電話Ａ
２１  ＣＰＵ
２２  メモリ
２３  充電制御部
２４  二次電池
２５  制御ＩＣ部
２５１  認証部
２５２  制御部
２５３  伝送回路
２６  受電用二次コイル
３  携帯電話Ｂ
３１  ＣＰＵ
３２  メモリ
３３  充電制御部
３４  二次電池
３５  制御ＩＣ部
３５１  認証部
３５２  制御部
３５３  伝送回路
３６  受電用二次コイル
４  充電台
４１  送電用一次コイル
４２  制御ＩＣ部
４２１  認証部
４２２  制御部
４２３  伝送回路
４３  記憶部
４３１  充電制御プログラム
５  電源
【図１】
0006044680.tif 000002
【図２】
0006044680.tif 000003
【図３】
0006044680.tif 000004
【図４】
0006044680.tif 000005
【図５】
0006044680.tif 000006
【図６】
0006044680.tif 000007
【図７】
0006044680.tif 000008